(57)【特許請求の範囲】
【請求項１】
駐車区画内に入庫した車両を検知し該車両の駐車料金が精算されるまで上記車両の不正出庫を阻止する車室管理端末機と、
上記車両の駐車時間に応じて計算された駐車料金の精算をし上記車室管理端末機に精算完了を通知する中央料金精算機と、を備えて成る駐車場管理システムにおいて、
上記車室管理端末機は、上記車両の駐車料金を計算して精算する手段を有すると共に、上記中央料金精算機から要求があったときに上記駐車料金の計算結果を該中央料金精算機に通知することを特徴とする駐車場管理システム。
【請求項２】
上記車室管理端末機における駐車料金の計算は、上記車両が入庫した時刻から単位時間毎に所定料金を加算して計算することを特徴とする請求項１記載の駐車場管理システム。
【請求項３】
上記車室管理端末機は、駐車区画毎に異なる駐車料金を設定可能とされたことを特徴とする請求項１又は２記載の駐車場管理システム。
【発明の詳細な説明】
【０００１】
【発明の属する技術分野】
本発明は、駐車区画内に入庫した車両を車室管理端末機で管理し、上記車両の駐車料金を中央料金精算機で精算する駐車場管理システムに関し、特に、上記車室管理端末機に車両の駐車料金を計算して精算する手段を備えたことにより、上記中央料金精算機の機能が停止しても車室管理端末機で独自に動作し、また多様なサービスを利用者に提供する駐車場管理システムに関する。
【０００２】
【従来の技術】
従来のこの種の駐車場管理システムは、駐車区画内に入庫した車両を検知し該車両の駐車料金が精算されるまで上記車両の不正出庫を阻止する車室管理端末機と、上記車両の駐車時間に応じて計算された駐車料金の精算をし上記車室管理端末機に精算完了を通知する中央料金精算機と、を備えて成っており、上記車両の駐車料金は中央料金精算機において計算され、この計算された駐車料金は該中央料金精算機でのみ精算されていた。
【０００３】
【発明が解決しようとする課題】
しかし、このような従来の駐車場管理システムにおいては、上記駐車料金の計算は中央料金精算機でのみ行われていたので、総ての車室管理端末機の台数分に相当する演算処理を中央料金精算機で行わなければならず、上記車室管理端末機の接続台数が増えるほど中央料金精算機における演算処理の負担が大きくなっていた。また、各車室管理端末機における駐車料金の計算が複雑になる場合には、上記中央料金精算機における演算処理の負担がさらに大きくなる。そのため、他のシステムと連動させた利用者へのサービスの実現が制限されていた。
【０００４】
また、上記中央料金精算機で計算された各車室管理端末機における駐車料金の精算についても該中央料金精算機でのみ行われていたので、例えば上記中央料金精算機の保守点検作業中の場合、或いは上記中央料金精算機内部の構成部品等が故障した場合等には、駐車料金の計算又は精算を行うことができなかった。これにより、上記中央料金精算機が車室管理端末機に精算完了を通知できず、駐車区画内に入庫した車両は、鎖錠されたまま出庫できなかった。
【０００５】
さらに、上記駐車区画内に入庫した車両は、上記車室管理端末機が車両の入庫を検知した時刻から一定時間経過後に鎖錠され、また上記鎖錠された車両は、上記車室管理端末機が中央料金精算機から精算完了を受け取った時刻から一定時間経過後に上記鎖錠を解除されていた。したがって、上記駐車区画内に入庫した車両は、駐車料金の支払いの後に継続して駐車した場合に該駐車料金の支払い分に相当する駐車をすることができなかった。
【０００６】
そこで、本発明は、このような問題点に対処し、上記車室管理端末機に車両の駐車料金を計算して精算する手段を備えたことにより、上記中央料金精算機の機能が停止しても車室管理端末機で独自に動作することができ、また利用者が多様なサービスを受けられる駐車場管理システムを提供することを目的とする。
【０００７】
【課題を解決するための手段】
上記目的を達成するために、本発明による駐車場管理システムは、駐車区画内に入庫した車両を検知し該車両の駐車料金が精算されるまで上記車両の不正出庫を阻止する車室管理端末機と、上記車両の駐車時間に応じて計算された駐車料金の精算をし上記車室管理端末機に精算完了を通知する中央料金精算機と、を備えて成る駐車場管理システムにおいて、上記車室管理端末機は、上記車両の駐車料金を計算して精算する手段を有すると共に、上記中央料金精算機から要求があったときに上記駐車料金の計算結果を該中央料金精算機に通知するようにしたものである。
【０００８】
このような構成により、上記車室管理端末機において駐車区画内に入庫した車両の駐車料金を計算して精算できるようになり、上記中央料金精算機から要求があったときに上記駐車料金の計算結果を該中央料金精算機に通知する。
【０００９】
また、上記車室管理端末機における駐車料金の計算は、上記車両が入庫した時刻から単位時間毎に所定料金を加算して計算するものである。これにより、上記車室管理端末機は、車両の入庫時刻から現在時刻までの駐車料金を常に認識する。
【００１０】
上記車室管理端末機は、駐車区画毎に異なる駐車料金を設定可能とされている。これにより、各車室管理端末機が駐車区画毎に駐車料金の設定し、利用者に多様なサービスを提供することができる。
【００１１】
【発明の実施の形態】
以下、本発明の実施の形態を添付図面に基いて詳細に説明する。
図１は、本発明による駐車場管理システムの第一の実施形態を示すブロック図である。この駐車場管理システムは、駐車区画内に入庫した車両を管理し該車両の駐車料金の精算をするもので、車室管理端末機Ａと、中央料金精算機Ｂと、を備えて成る。
【００１２】
車室管理端末機Ａは、各駐車区画毎に設けられ、個々の駐車区画内に入庫した車両を検知し、該車両の駐車料金が精算されるまで上記車両を鎖錠しその不正出庫を阻止するもので、その内部構成は、車両検知手段１と、鎖錠手段２と、状態表示手段３と、Ｉ／Ｏユニット４と、時計ユニット５と、ＲＡＭ６と、データ通信部７と、制御部８と、ＲＯＭ９と、を含んで構成されている。
【００１３】
上記車両検知手段１は、上記駐車区画内に入庫した車両を検知するもので、例えば車両検知用のカーセンサーが地中に埋設されている。また、上記鎖錠手段２は、上記駐車区画内に入庫した車両が移動できないように固定するもので、車両の不正出庫を防止するロック板と該ロック板を駆動させるモーターＭとを有して成る。さらに、上記状態表示手段３は、駐車料金が精算済みか或いは未精算か等の駐車情報を表示するもので、該駐車情報を表示するためのＬＥＤ等を備えて成る。さらにまた、上記Ｉ／Ｏユニット４は、上記車両検知手段１又は鎖錠手段２、状態表示手段３から車両検知信号等を入力し機器制御信号等を出力するものであり、後述の制御部８により入出力の制御が行われるようになっている。
【００１４】
また、上記時計ユニット５は、車両が駐車区画内に入庫した時刻等を計測するものである。さらに、上記ＲＡＭ６は、上記時計ユニット５で計測した入庫時刻等を記憶するものである。さらにまた、上記データ通信部７は、後述の中央料金精算機Ｂに制御信号や機器状態信号等の各種信号を送受信するものである。また、上記制御部８は、上記Ｉ／Ｏユニット４と、時計ユニット５と、ＲＡＭ６と、データ通信部７との動作を統括的に制御するもので、例えばＣＰＵ等の演算装置から成る。また、上記ＲＯＭ９は、上記制御部８により車室管理端末機Ａの動作を制御するためのプログラム等を格納するものである。
【００１５】
また、中央料金精算機Ｂは、駐車区画内に入庫した車両の駐車時間に応じて計算された駐車料金が精算されると上記車室管理端末機Ａに精算完了を通知するもので、その内部構成は、音声案内ユニット１０と、駐車番号入力ボタン１１と、時計ユニット１２と、料金表示部１３と、カードリーダ・ライタ１４と、投入金表示部１５と、紙幣処理ユニット１６と、硬貨処理ユニット１７と、精算取消ボタン１８と、領収書発行ボタン１９と、プリンタ２０と、Ｉ／Ｏユニット２１と、ＲＡＭ２２と、接続インターフェース２３と、制御部２４と、ＲＯＭ２５と、を含んで構成されている。
【００１６】
上記音声案内ユニット１０は、中央料金精算機Ｂの操作手順等を利用者に案内する手段となるもので、スピーカー等の音声発生機器を有して成る。また、上記駐車番号入力ボタン１１は、利用者が出庫時において車両の駐車区画の番号を入力する手段となるものである。さらに、上記時計ユニット１２は、上記駐車番号入力ボタン１１が操作された時刻等を計測するものである。さらにまた、上記料金表示部１３は、例えば車両が入庫した時の現在時刻から上記駐車番号入力ボタン１１が操作された現在時刻までの駐車料金を表示するものである。
【００１７】
また、上記カードリーダ・ライタ１４は、例えばサービス券やプリペイドカード、定期券等により駐車料金の精算を行う場合に、上記サービス券に記録された割引情報やプリペイドカード、定期券等に記録された残高情報等を読み取ると共に該サービス券やプリペイドカード、定期券等に精算情報等を書き込むものである。さらに、上記投入金表示部１５は、駐車料金を紙幣又は硬貨によって精算する場合に、上記紙幣又は硬貨の投入された金額を表示するものである。さらにまた、上記紙幣処理ユニット１６は、料金精算時に紙幣を受け付けて計数処理する手段となるものであり、また上記硬貨処理ユニット１７は、料金精算時に硬貨を受け付けて計数処理する手段となるものである。また、上記精算取消ボタン１８は、利用者が駐車料金の精算操作を途中で中止したい場合に操作する入力手段となるものである。さらに、上記領収書発行ボタン１９は、利用者が精算料金の領収書の発行を希望する場合に操作する入力手段となるものである。そして、プリンタ２０は、上記領収書発行ボタン１９の操作により領収書を発行する手段となるものである。
【００１８】
また、上記Ｉ／Ｏユニット２１は、上記音声案内ユニット９又は駐車番号入力ボタン１１、料金表示部１３、投入金表示部１５、紙幣処理ユニット１６、硬貨処理ユニット１７、精算取消ボタン１８、領収書発行ボタン１９から操作信号等を入力し機器制御信号等を出力するものであり、後述の制御部２４により入出力の制御が行われるようになっている。
【００１９】
さらに、上記ＲＡＭ２２は、精算済みの駐車料金を各駐車区画毎に記憶するものである。さらにまた、上記接続インターフェース２３は、上記車室管理端末機Ａのデータ通信部７に後述の接続ケーブル２６を介して各種信号を送受信する装置で、シリアル信号を送受信するシリアルインターフェースから成っている。また、上記制御部２４は、上記時計ユニット１２と、カードリーダ・ライタ１４と、プリンタ２０と、Ｉ／Ｏユニット２１と、ＲＡＭ２２と、接続インターフェース２３との動作を統括的に制御するもので、例えばＣＰＵ等の演算装置から成る。そして、上記ＲＯＭ２５は、上記制御部２４により中央料金精算機Ｂの動作を制御するためのプログラム等を格納するものである。
【００２０】
このような車室管理端末機Ａと中央料金精算機Ｂとは、接続ケーブル２６によって接続され、該接続ケーブル２６を介して制御信号や機器状態信号等の各種信号の送受信が行われる。ここで、上記接続ケーブル２６は、上記データ通信部７と接続インターフェース２３とをシリアル接続して、制御信号や機器状態信号等の各種信号をシリアル化して送受信するものである。なお、上記接続ケーブル２６は、上記各種信号の経路となると共に、中央料金精算機Ｂから各車室管理端末機Ａに電力を供給する経路としてもよい。
【００２１】
ここで、本発明の第一の実施形態による駐車場管理システムにおいては、駐車区画内に入庫した車両の駐車料金を車室管理端末機Ａで計算して中央料金精算機Ｂに通知するように構成されている。すなわち、図１に示す車室管理端末機ＡのＲＯＭ９には、上記車室管理端末機Ａの動作を制御するためのプログラム以外に、上記車両の駐車料金を計算するプログラム等が格納されている。このような構成により、上記駐車料金を車室管理端末機Ａにおいて計算することができ、該車室管理端末機Ａで計算された駐車料金の情報を中央料金精算機Ｂに通知することができる。これにより、中央料金精算機Ｂは、各車室管理端末機Ａで計算された駐車料金の信号を受け取り、この信号を用いて駐車料金の精算を行えばよいので、個々の駐車区画内に入庫した車両の駐車料金の計算をしなくてもよく、車室管理端末機Ａの接続台数が増えたり、各車室管理端末機Ａにおける駐車料金の計算が複雑になっても、演算処理の負担が小さくて済む。したがって、例えばサービス券やプリペイドカード、定期券等に対応したサービスを利用者に提供することができる。
【００２２】
また、各車室管理端末機Ａが独自に車室管理を行っているので、例えば、月極利用者に出庫操作用のリモートコントロール等を貸与し中央料金精算機Ｂまで行かなくても車両が出庫できるサービスや、提携している店舗等でＰＯＳシステム（ｐｏｉｎｔ  ｏｆ  ｓａｌｅｓ  ｓｙｓｔｅｍ）と連動させて利用者が商品等を購入すると同時に駐車料金の精算を行うサービス等を提供するシステムの構築に寄与できる。さらに、携帯電話等を用いたオンライン決済システム、キャッシュレスシステムとの接続も容易にできるようになる。
【００２３】
図２は、本発明による駐車場管理システムの第二の実施形態を示すブロック図である。この第二の実施形態による駐車場管理システムは、上記車室管理端末機Ａ'が車両の駐車料金を計算して精算する手段を有すると共に、上記中央料金精算機Ｂから要求があったときに上記駐車料金の計算結果を該中央料金精算機Ｂに通知するようにしたものである。
【００２４】
上記車室管理端末機Ａ’の内部構成は、基本的には図１に示す車室管理端末機Ａの構成と同様であり、それ以外に音声案内ユニット２７と、精算開始ボタン２８と、料金表示部２９と、投入金表示部３０と、紙幣処理ユニット３１と、硬貨処理ユニット３２と、精算取消ボタン３３と、領収書発行ボタン３４と、プリンタ３５と、を含んでおり、これらの構成要素は図１と同様にＩ／Ｏユニット４に接続されている。
【００２５】
上記音声案内ユニット２７は、車室管理端末機Ａ’の操作手順等を利用者に案内する手段となるもので、スピーカー等の音声発生機器を有して成る。また、上記精算開始ボタン２８は、利用者が車室管理端末機Ａ’で計算した駐車料金の精算を開始するための手段となるものである。さらに、上記料金表示部２９は、例えば車両が入庫した時の現在時刻から上記精算開始ボタン２８が操作された現在時刻までの駐車料金を表示するものである。
【００２６】
また、上記投入金表示部３０は、駐車料金を紙幣又は硬貨によって精算する場合に、上記紙幣又は硬貨の投入された金額を表示するものである。さらに、上記紙幣処理ユニット３１は、料金精算時に紙幣を受け付けて計数処理する手段となるものであり、また上記硬貨処理ユニット３２は、料金精算時に硬貨を受け付けて計数処理する手段となるものである。さらにまた、上記精算取消ボタン３３は、利用者が駐車料金の精算操作を途中で中止したい場合に操作する入力手段となるものである。また、上記領収書発行ボタン３４は、利用者が精算料金の領収書の発行を希望する場合に操作する入力手段となるものである。そして、プリンタ３５は、上記領収書発行ボタン３４の操作により領収書を発行する手段となるものである。
【００２７】
ここで、図２に示す車室管理端末機Ａ'のＲＯＭ９には、前記制御部８により車室管理端末機Ａ'の動作を制御するプログラム以外に、駐車区画内に入庫した車両の駐車料金を計算するプログラムや、該車室管理端末機Ａ'で計算された駐車料金の精算を行うためのプログラム等が格納されている。このような構成により、上記車室管理端末機Ａ'において駐車区画内に入庫した車両の駐車料金を計算して精算できるようになり、上記中央料金精算機Ｂから要求があったときに上記駐車料金の計算結果を該中央料金精算機Ｂに通知するようになる。これにより、利用者は、駐車区画内に入庫した車両の駐車料金を上記車室管理端末機Ａ'と中央料金精算機Ｂとのどちらか一方において精算することができる。したがって、上記中央料金精算機Ｂの保守点検作業又は故障等の原因により、該中央料金精算機Ｂで駐車料金の精算を行うことができなくても、上記車室管理端末機Ａ'において駐車料金の精算を行い、駐車区画内に入庫した車両を出庫することができる。また、上記中央料金精算機Ｂは、各車室管理端末機Ａ'で計算された駐車料金の信号を受け取り、この信号を用いて駐車料金の精算を行えばよいので、個々の駐車区画内に入庫した車両の駐車料金の計算をしなくてもよく、車室管理端末機Ａ'の接続台数が増えたり、各車室管理端末機Ａ'における駐車料金の計算が複雑になっても、演算処理の負担が小さくて済む。したがって、例えばサービス券やプリペイドカード、定期券等に対応したサービスを利用者に提供することができる。
【００２８】
次に、このように構成された駐車場管理システムの動作について、図３〜図５を参照して説明する。ここでは、図２に示す第二の実施形態のシステムについて説明する。まず、所定駐車区画内に車両を入庫するときの車室管理端末機Ａ’の動作について、図３を参照して説明する。初めに駐車場の利用者が、所定の駐車区画内に車両を駐車し、初期状態において、上記駐車区画に設けられた車室管理端末機Ａ’の車両検知手段１（図２参照）が該車両を検知したとする。これにより、ステップＳ１は“ＹＥＳ”側に進む。すると、入庫監視用タイマーが一旦リセットしてから作動し始める（ステップＳ２）。そして、所定時間が経過するとタイムアップとなる。これにより、ステップＳ３は“ＹＥＳ”側に進み、上記駐車区画内における車両の停車を入庫とみなし、そのときの時刻を車両の入庫時刻とする。そして、上記入庫時刻から所定の駐車料金を加算し始める（ステップＳ４）。なお、上記入庫監視用タイマーがタイムアップとなる前に（ステップＳ３の“ＮＯ”側）、車両が駐車区画内から退場して上記車両検知手段１が車両を検知しなくなった場合は、ステップＳ５は“ＮＯ”側に進み、車両が駐車区画内に一時的に入場したに過ぎないとみなして初期状態に戻る（ステップＳ１）。
【００２９】
ここで、上記入庫時刻から一定時間以内、例えば１５分以内は、サービス時間として無料で車両を駐車できるとする。したがって、このようなサービス時間内においては（ステップＳ６の“ＹＥＳ”側）、駐車料金を支払わなくても退車できるが、上記サービス時間を超過すると相当額の駐車料金を支払わなければ退車することができなくなる。すなわち、上記サービス時間を超過した場合は、ステップＳ６は“ＮＯ”側に進み、図２に示す状態表示手段３により未精算表示を点灯し（ステップＳ７）、それと同時に鎖錠手段監視用タイマーが一旦リセットされてから作動し始める（ステップＳ８）。
【００３０】
上記鎖錠手段監視用タイマーがタイムアップとなる前において（ステップＳ９の“ＮＯ”側）、上記車両検知手段１が車両を検知した場合には（ステップＳ１０の“ＹＥＳ”側）、単位時間あたりの所定の駐車料金を加算するが（ステップＳ１１）、上記車両が駐車区画内から退場し上記車両検知手段１が該車両を検知しなくなると（ステップＳ１０の“ＮＯ”側）、上記状態表示手段３による未精算表示を消灯する（ステップＳ１２）と同時に駐車料金をリセットし（ステップＳ１３）、初期状態に戻る（ステップＳ１）。
【００３１】
そして、所定時間が経過して上記鎖錠手段監視用タイマーがタイムアップとなると、ステップＳ９は“ＹＥＳ”側に進む。これにより、上記車両の現在時刻における駐車料金等の情報を駐車料金信号としてＲＡＭ６（図２参照）に記憶する（ステップＳ１４）。それと同時に図２に示す鎖錠手段２のロック板が上昇し（ステップＳ１５）、駐車区画内に入庫した車両の不正出庫を阻止できるようになる。
【００３２】
次に、上記所定の駐車区画内に入庫した車両を出庫するときの車室管理端末機Ａ’の動作について、図４を参照して説明する。まず、車室管理端末機Ａ’又は中央料金精算機Ｂにおいて利用者が駐車料金を精算する操作を行うまでは、車室管理端末機Ａ’の精算開始ボタン２８（図２参照）が操作されることがなく（ステップＳ１６の“ＮＯ”側）、また中央料金精算機Ｂから前述の駐車料金信号が要求されることがなく（ステップＳ１７の“ＮＯ”側）、精算完了信号を受信することもない。これにより、ステップＳ１８は“ＮＯ”側に進み、所定時間が経過する毎に単位時間あたりの所定の駐車料金を加算し続ける（ステップＳ１９）。
【００３３】
すなわち、車室管理端末機Ａ’における駐車料金の計算は、上記車両が入庫した時刻から単位時間毎、例えば３０分毎に所定料金を加算して計算されている。したがって、上記車室管理端末機Ａ’は、中央料金精算機Ｂから入庫時刻信号を要求された時における駐車料金を常に認識することができる。また、個々の車室管理端末機Ａ’が独自に駐車料金の計算を行っているので、駐車区画毎に異なる料金設定を行うことができる。例えば、駐車区画の大きさに応じて小型車用又は中型車用等の駐車料金を設定することができる。
【００３４】
ここで、上記中央料金精算機Ｂにおいて駐車料金を精算するために、該中央料金精算機Ｂの駐車番号入力ボタン１１（図２参照）を利用者が操作したとする。すると、上記車室管理端末機Ａ'は、中央料金精算機Ｂから駐車料金信号を要求される。これにより、上述のステップＳ１７は“ＹＥＳ”側に進み、上記車室管理端末機Ａ'は、上記ＲＡＭ６に記憶された駐車料金信号を中央料金精算機Ｂに返信する（ステップＳ２０）。これにより、上記中央料金精算機Ｂは、図５に示すように、受信した駐車料金信号を処理し、駐車料金が精算されると車室管理端末機Ａ'に精算完了信号を送信する（ステップＳ４０参照）。
【００３５】
そして、上記車室管理端末機Ａ'が中央料金精算機Ｂからの精算完了信号を受信すると、上述のステップＳ１８は“ＹＥＳ”側に進み、図２に示す鎖錠手段２のロック板が下降する（図４のステップＳ２１）。これにより、上記車両が駐車区画内から出庫できるようになり、それと同時に上記未精算表示が消灯し（ステップＳ２２）、また退車監視用タイマーが一旦リセットしてから作動し始める（ステップＳ２３）。そして、上記退車監視用タイマーが所定時間を経過する前に利用者が上記車両を駐車区画外に退車させれば、上記車両検知手段１が車両を検知しなくなり、ステップＳ２４は“ＮＯ”側に進む。これにより、上記車室管理端末機Ａ'の動作が終了する。
【００３６】
また、上記退車監視用タイマーが所定時間を経過する前に利用者が上記車両を駐車区画外に退車させなければ、上記車両検知手段１は車両の検知を続ける。これにより、ステップＳ２４は“ＹＥＳ”側に進み、そのまま駐車料金を計算し続ける（ステップＳ２５）。ここで、例えば３０分毎に所定料金の１００円を加算する駐車場管理システムにおいて、利用者が入庫時刻から４０分経過した時点で駐車料金の精算したとする。そのとき利用者は、１時間分に相当する駐車料金の２００円を支払わなければならない。しかし、本発明による駐車場管理システムの車室管理端末機Ａ’は、上記車両が駐車区画外に退出するまで駐車料金を計算し続けているため、上記駐車料金が精算された時刻から２０分間は、支払った駐車料金に相当する残り時間として所定料金の１００円が加算されず、その間は上記車両を駐車区画外に退出させなくてもよい。このような支払った駐車料金に相当する時間を駐車可能時間とし、該駐車可能時間内においては（ステップＳ２６の“ＹＥＳ”側）、利用者は上記車両をいつでも退出することができる。
【００３７】
そして、上記車両を駐車区画外に退車させずに駐車可能時間が経過すると、ステップＳ２６は“ＮＯ”側に進み、タイマーが作動する。上記タイマーがタイムアップする前であれば（ステップＳ２７の“ＮＯ”側）、上記車両を退出することができるが、タイムアップした後は、前述のステップＳ２７は“ＹＥＳ”側に進み、結合子２を介して図３のステップＳ７に戻り、相当する駐車料金を支払わなければ上記車両を退出できないようになる。
【００３８】
ここでは、利用者が上記中央料金精算機Ｂの駐車番号入力ボタン１１（図２参照）を操作して駐車料金を精算するものとしたが、該駐車料金の精算は、上記車室管理端末機Ａ’において行うこともできる。すなわち、利用者が上記車両の駐車料金を精算するために車室管理端末機Ａ’の精算開始ボタン２８（図２参照）を操作したとする。これにより、図４に示すステップＳ１６は“ＹＥＳ”側に進み、車室管理端末機Ａ’の料金表示部２９（図２参照）に駐車料金を表示する（ステップＳ２８）。そして、利用者が上記駐車料金の精算を行うと、精算完了信号を生成し（ステップＳ２９）、ステップＳ２１へジャンプする。したがって、上記中央料金精算機Ｂで駐車料金の精算を行うことができなくても、上記車室管理端末機Ａ’において駐車料金の精算を行い、駐車区画内に入庫した車両を出庫することができる。
【００３９】
次に、上記所定の駐車区画内に入庫した車両を出庫させるため、駐車料金を中央料金精算機Ｂで精算した場合の該中央料金精算機Ｂの動作について、図５を参照して説明する。初めに駐車場の利用者が、駐車料金を精算するために該当する駐車番号入力ボタン１１（図２参照）を操作して駐車番号を入力したとする。これにより、ステップＳ３０は“ＹＥＳ”側に進み、上述の車室管理端末機Ａ’に機器状態を問い合わせる（ステップＳ３１）。そして、上記車室管理端末機Ａ’の車両検知手段１（図２参照）が駐車区画内の車両を検知すると、ステップＳ３２は“ＹＥＳ”側に進み、上記車両を検知した信号を中央料金精算機Ｂに返信し、該中央料金精算機Ｂは、上記車室管理端末機Ａ’に駐車料金信号を要求し、該車室管理端末機Ａ’から駐車料金信号を受信する（ステップＳ３３）。
【００４０】
このとき、駐車時間がサービス時間内の場合は、ステップＳ３４は“ＹＥＳ”側に進み、「駐車料金なし」との音声案内がされ（ステップＳ３５）、ステップＳ３９へジャンプする。また、駐車時間がサービス時間を超過している場合は、ステップＳ３４は“ＮＯ”側に進み、駐車料金を図２に示す駐車料金表示部１３に表示する（ステップＳ３６）と同時に、駐車料金が「有料」との音声案内がされる（ステップＳ３７）。そして、上記駐車料金が精算されると、ステップＳ３８は“ＹＥＳ”側に進み、上記車室管理端末機Ａに精算完了信号を送信する（ステップＳ３９）と同時に、「精算完了」との音声案内をする（ステップＳ４０）。これにより、上記中央料金精算機Ｂの動作を終了する。
【００４１】
なお、上記利用者が誤操作し、ステップ３０において、車両が駐車していない駐車区画に該当する駐車番号入力ボタン１１（図２参照）を操作して駐車番号を入力すると、ステップＳ３１を介して前述のステップＳ３２は“ＮＯ”側に進み、「精算不可」との音声案内をする（ステップＳ４１）。これにより、利用者が上記駐車番号ボタン１１を誤って操作することを防止することができる。
【００４２】
【発明の効果】
本発明は以上のように構成されたので、請求項１に係る発明によれば、上記車室管理端末機が車両の駐車料金を計算して精算する手段を有すると共に、上記中央料金精算機から要求があったときに上記駐車料金の計算結果を該中央料金精算機に通知するように構成したことにより、車室管理端末機において駐車区画内に入庫した車両の駐車料金を計算して精算できるようになり、中央料金精算機から要求があったときに駐車料金の計算結果を該中央料金精算機に通知することができる。したがって、上記駐車料金の計算を各車室管理端末機において行うことができるため、中央料金精算機の機能が停止しても車室管理端末機で独自に駐車料金の計算をすることができる。また、上記車室管理端末機の接続台数が増加したり、また各車室管理端末機における駐車料金の計算が複雑な場合においても中央料金精算機における演算処理の負担が大きくならず、多様なサービスを利用者に提供することができる。さらに、上記車室管理端末機において駐車料金の精算が可能とされたことにより、利用者は、車室管理端末機と中央料金精算機とのどちらか一方において駐車料金を精算することができる。このことから、中央料金精算機が保守点検作業中の場合、或いは故障した場合等においても、車室管理端末機で独自に駐車料金の計算及び精算をし、利用者は駐車区画内に入庫した車両を出庫することができる。
【００４３】
また、請求項２に係る発明によれば、上記車室管理端末機における駐車料金の計算は、車両が入庫した時刻から単位時間毎に所定料金を加算して計算することにより、車室管理端末機が車両の入庫時刻から現在時刻までの駐車料金を常に認識することができる。したがって、利用者は、駐車料金を精算した後においても支払った駐車料金に相当する残り時間は上記駐車区画内に入庫した車両を駐車することができる。また、駐車区画毎に異なる料金設定を行うことができる。
【００４４】
さらに、請求項３に係る発明によれば、上記車室管理端末機は、駐車区画毎に異なる駐車料金を設定可能とされていることにより、各車室管理端末機が駐車区画毎に駐車料金の設定し、利用者に多様なサービスを提供することができる。
【図面の簡単な説明】
【図１】本発明による駐車場管理システムの第一の実施形態を示すブロック図で、この駐車場管理システムを構成する車室管理端末機と中央料金精算機の内部構成を示す図である。
【図２】上記駐車場管理システムの第二の実施形態を示すブロック図である。
【図３】上記第二の実施形態による駐車場管理システムを構成する車室管理端末機の車両入庫時における動作を説明するフローチャートである。
【図４】上記車室管理端末機の車両出庫時における動作を説明するフローチャートである。
【図５】上記第二の実施形態による駐車場管理システムを構成する中央料金精算機の駐車料金精算時における動作を説明するフローチャートである。
【符号の説明】
Ａ，Ａ’…車室管理端末機
Ｂ…中央料金精算機
１…車両検知手段
２…鎖錠手段
３…状態表示手段
４，２１…Ｉ／Ｏユニット
５，１２…時計ユニット
６，２２…ＲＡＭ
７…データ通信部
８，２４…制御部
９，２５…ＲＯＭ
１０，２７…音声案内ユニット
１１…駐車番号入力ボタン
１３，２９…料金表示部
１４…カードリーダ・ライタ
１５，３０…投入金表示部
１６，３１…紙幣処理ユニット
１７，３２…硬貨処理ユニット
１８，３３…精算取消ボタン
１９，３４…領収書発行ボタン
２０，３５…プリンタ
２３…接続インターフェース
２６…接続ケーブル
【図１】
0003561221.tif 000002
【図２】
0003561221.tif 000003
【図３】
0003561221.tif 000004
【図４】
0003561221.tif 000005
【図５】
0003561221.tif 000006